(57)【要約】      （修正有）【課題】装設時間が掛かりすぎる問題を改善し、製造効率を高めて製造コストを削減する乳製品或いは飲料の冷却保持装置のケースを提供する。【解決手段】冷却保持装置のケースは、開口箇所の周部には左板部、右板部、上板部、及び下板部が設けられ、左板部には若干の第１貫通孔が設けられ、右板部には若干の第２貫通孔が設けられ、上板部には若干の第３貫通孔が設けられ、下板部には若干の第４貫通孔が設けられる収容室３０と、第１挿入板が設置される左前板部４１を有する左側板４０と、第２挿入板が設置される右前板部５１を有する右側板５０と、第３挿入板が設置される上面の前板部を有する天面の側板と、第４挿入板部が設置される下面の前板部を有する底側板７０と、天面の側板の上方に設けられる天面部材８０とを備える。【選択図】図４
0003209759.tif 000002
【実用新案登録請求の範囲】
【請求項１】
収納空間を有し、開口箇所の周部には左板部、右板部、上板部、及び下板部がそれぞれ設置され、前記左板部には所定の数量の第１貫通孔が間隔を空けて設けられ、前記右板部には所定の数量の第２貫通孔が間隔を空けて設けられ、前記上板部には所定の数量の第３貫通孔が間隔を空けて設けられ、前記下板部には所定の数量の第４貫通孔が間隔を空けて設けられる収容室と、
収容室の左側に設置され、左前板部を有し、前記左前板部の所定の位置には第１貫通孔に対応される同数の第１挿入板が設置され、前記第１挿入板の一側には第１ストッパー部が設けられ、これら前記第１挿入板はこれら前記第１貫通孔を挿通させる左側板と、
収容室の右側に設置され、右前板部を有し、前記右前板部の所定の位置には第２貫通孔に対応される同数の第２挿入板が設置され、前記第２挿入板の一側には第２ストッパー部が設けられ、これら前記第２挿入板はこれら前記第２貫通孔を挿通させる右側板と、
収容室の天面に設置され、上面の前板部を有し、前記上面の前板部の所定の位置には第３貫通孔に対応される同数の第３挿入板が設置され、前記第３挿入板の一側には第３ストッパー部が設けられ、これら前記第３挿入板はこれら前記第３貫通孔を挿通させる天面の側板と、
収容室の底側に設置され、下面の前板部を有し、前記下面の前板部の所定の位置には第４貫通孔に対応される同数の第４挿入板が設置され、前記第４挿入板の一側には第４ストッパー部が設けられ、これら前記第４挿入板はこれら前記第４貫通孔を挿通させる底側板と、
天面の側板の上方に設けられる天面部材とを少なくとも備えることを特徴とする乳製品或いは飲料の冷却保持装置のケース。
【請求項２】
前記天面部材の底面の両側には第１板体及び第２板体を有し、前記第１板体には所定の数量の第５貫通孔が間隔を空けて設けられ、前記第２板体には所定の数量の第６貫通孔が間隔を空けて設けられ、前記左側板の天面には第５貫通孔に対応される同数の第５挿入板が設置され、前記第５挿入板の一側には第５ストッパー部が設けられ、これら前記第５挿入板はこれら前記第５貫通孔を挿通させ、前記右側板の天面には第６貫通孔に対応される同数の第６挿入板が設置され、前記第６挿入板の一側には第６ストッパー部が設けられ、これら前記第６挿入板はこれら前記第６貫通孔を挿通させることを特徴とする、請求項１に記載の乳製品或いは飲料の冷却保持装置のケース。
【請求項３】
前記収容室の第１貫通孔は第１大きな穴部及び第１小さな穴部を有し、前記第２貫通孔は第２大きな穴部及び第２小さな穴部を有し、前記第３貫通孔は第３大きな穴部及び第３小さな穴部を有し、前記第４貫通孔は第４大きな穴部及び第４小さな穴部を有することを特徴とする、請求項１または２に記載の乳製品或いは飲料の冷却保持装置のケース。
【考案の詳細な説明】
【技術分野】
【０００１】
本考案は、改良された乳製品或いは飲料の冷却保持装置のケースに関する。
【背景技術】
【０００２】
従来のコーヒー供給装置は図１に示す概略図のように、コーヒーミル１０及び冷却保持装置２０を備える（図２参照）。前記冷却保持装置のケースはケース及び収容室２２を備える。冷却保持装置２０のドア２１が開かれ、収容室２２にミルク２３が入れられて、低温で冷蔵される。なお、前記冷却保持装置のケースは鋼鉄材料で製造され、左側板２４の左前片部２４１、右側板２５の右前片部２５１、天面の側板２６の天面の前板部２６１、及び底側板２７の底部の前板部２７１はネジ２８により収容室の前側面にそれぞれ固定される（図２及び図３参照）。
【考案の概要】
【考案が解決しようとする課題】
【０００３】
しかしながら、このようなネジ固定方式では、ケースの装設過程において、時間が掛かりすぎ、これによって製造コストが高騰した。そこで、本考案者は上記の欠点が改善可能と考え、鋭意検討を重ねた結果、合理的設計で上記の課題を効果的に改善する本考案の提案に到った。
【０００４】
本考案は、以上の従来技術の課題を解決する為になされたものである。即ち、本考案は、冷却保持装置のケースを提供することを主な目的とする。
【課題を解決するための手段】
【０００５】
上述した課題を解決し、目的を達成するために、本考案に係る冷却保持装置のケースは、
収納空間を有し、開口箇所の周部には左板部、右板部、上板部、及び下板部がそれぞれ設置され、前記左板部には所定の数量の第１貫通孔が間隔を空けて設けられ、前記右板部には所定の数量の第２貫通孔が間隔を空けて設けられ、前記上板部には所定の数量の第３貫通孔が間隔を空けて設けられ、前記下板部には所定の数量の第４貫通孔が間隔を空けて設けられる収容室と、
収容室の左側に設置され、左前板部を有し、前記左前板部の所定の位置には第１貫通孔に対応される同数の第１挿入板が設置され、前記第１挿入板の一側には第１ストッパー部が設けられ、これら前記第１挿入板はこれら前記第１貫通孔を挿通させる左側板と、
収容室の右側に設置され、右前板部を有し、前記右前板部には第２貫通孔に対応される同数の第２挿入板が設置され、前記第２挿入板の一側には第２ストッパー部が設けられ、これら前記第２挿入板はこれら前記第２貫通孔を挿通させる右側板と、
収容室の天面に設置され、上面の前板部を有し、前記上面の前板部には第３貫通孔に対応される同数の第３挿入板が設置され、前記第３挿入板の一側には第３ストッパー部が設けられ、これら前記第３挿入板はこれら前記第３貫通孔を挿通させる天面の側板と、
収容室の底側に設置され、下面の前板部を有し、前記下面の前板部には第４貫通孔に対応される同数の第４挿入板が設置され、前記第４挿入板の一側には第４ストッパー部が設けられ、これら前記第４挿入板はこれら前記第４貫通孔を挿通させる底側板と、
天面の側板の上方に設けられる天面部材とを少なくとも備えることを特徴とする。
【考案の効果】
【０００６】
本考案は、従来のケースの構造による装設時間が掛かりすぎるという問題を改善させ、同時に製造効率を高めて製造コストを削減させる。
【図面の簡単な説明】
【０００７】
【図１】従来のコーヒー供給装置が冷却保持装置を搭載させる外観斜視図である。
【図２】冷却保持装置の使用を示す概略図である。
【図３】冷却保持装置を示す正面図である。
【図４】本考案の第１実施形態の例を示す正面図である。
【図５】収容室を示す正面図である。
【図６】第１実施形態の左側板４０を示す右面図である。
【図７】図５に示すＡ部分の拡大図である。
【図８】図６に示すＢ部分の拡大図である。
【図９】第１実施形態の右側板５０を示す左面図である。
【図１０】天面の側板６０を示す底面図である。
【図１１】底側板７０を示す平面図である。
【図１２】本考案の第１実施形態の左側板４０の組み合わせ工程を説明する概略図である。
【図１３】本考案の第１実施形態の左側板４０の組み合わせ工程を説明する概略図である。
【図１４】本考案の第１実施形態の左側板４０の組み合わせ工程を説明する概略図である。
【図１５】本考案の第２実施形態の天面部材８０を示す平面図である。
【図１６】第２実施形態の左側板４０を示す右面図である。
【図１７】第２実施形態の左側板４０の右部を示す一部の傾斜図である。
【図１８】第２実施形態の右側板５０を示す左面図である。
【図１９】第２実施形態の右側板５０の左部を示す一部の傾斜図である。
【考案を実施するための形態】
【０００８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【０００９】
（第１実施形態）
本考案の第１実施形態の構成を図４から図１１に示す。本考案の冷却保持装置のケースの構成は、以下の６つの部材を主に備える。
【００１０】
収容室３０：収納空間３１を有し、開口箇所の周部には左板部３２、右板部３３、上板部３４、及び下板部３５がそれぞれ設けられる。左板部３２には所定の数量の第１貫通孔３６が間隔を空けて設けられ、これら前記第１貫通孔３６は第１大きな穴部３６１及び第１小さな穴部３６２を有する。右板部３３には所定の数量の第２貫通孔３７が間隔を空けて設けられ、これら前記第２貫通孔３７は第２大きな穴部３７１及び第２小さな穴部３７２を有する。上板部３４には所定の数量の第３貫通孔３８が間隔を空けて設けられ、これら前記第３貫通孔３８は第３大きな穴部３８１及び第３小さな穴部３８２を有する。下板部３５には所定の数量の第４貫通孔３９が間隔を空けて設けられ、これら前記第４貫通孔３９は第４大きな穴部３９１及び第４小さな穴部３９２を有する。
【００１１】
左側板４０：収容室３０の左側に設置され、左前板部４１を有し、左前板部４１の所定の位置には第１貫通孔３６に対応される同数の第１挿入板４２が設置され、第１挿入板４２の一側には第１ストッパー部４２１が設けられる。第１貫通孔３６の幅は第１挿入板４２の厚さよりやや大きく、その高さは第１挿入板４２の高さより高い。
【００１２】
右側板５０：収容室３０の右側に設置され、右前板部５１を有し、右前板部５１の所定の位置には第２貫通孔３７に対応される同数の第２挿入板５２が設置され、第２挿入板５２の一側には第２ストッパー部５２１が設けられる。
【００１３】
天面の側板６０：収容室３０の天面部材に設置され、上面の前板部６１を有し、上面の前板部６１の所定の位置には第３貫通孔３８に対応される同数の第３挿入板６２が設置され、前記第３挿入板６２の一側には第３ストッパー部６２１が設けられる。
【００１４】
底側板７０：収容室３０の底側に設置され、下面の前板部７１を有し、下面の前板部７１の所定の位置には第４貫通孔３９に対応される同数の第４挿入板７２が設置され、第４挿入板７２の一側には第４ストッパー部７２１が設けられる。
【００１５】
天面部材８０；天面の側板６０の上方に設置される。
【００１６】
装設作業において、前記左側板４０、右側板５０、天面の側板６０、及び底側板７０の組み立て方式は同じであり、図１２乃至図１４に示すように、左側板４０を例に説明すると、第１挿入板４２が第１貫通孔３６に位置を合わせられ、その後に第１挿入板４２が第１貫通孔３６を挿通させ、左側板４０が上に向けて押され、第１ストッパー部４２１により左側板４０が収容室３０から脱離されなくなる。
【００１７】
これにより、従来のケースの構造では装設に時間が掛かるという問題が改善される。また、収容室３０の完成品の外観も美観が向上する。
【００１８】
（第２実施形態）
本考案の第２実施形態の構成を図１５から図１９に示す。第１実施形態との差異は下述のとおりである。
（１）天面部材８０の底面の両側には第１板体８１及び第２板体８２を有し、第１板体８１には所定の数量の第５貫通孔８３が間隔を空けて設けられ、これら前記第５貫通孔８３は第５大きな穴部８３１及び第５小さな穴部８３２を有し、第２板体８２には所定の数量の第６貫通孔８４が間隔を空けて設けられ、これら前記第６貫通孔８４は第６大きな穴部８４１及び第６小さな穴部８４２を有する。
（２）左側板４０の天面部材には第５貫通孔８３に対応される同数の第５挿入板４３が設置され、前記第５挿入板４３の一側には第５ストッパー部４３１が設けられる。
（３）右側板５０の天面部材には第６貫通孔８４に対応される同数の第６挿入板５３が設置され、第６挿入板５３の一側には第６ストッパー部５３１が設けられる。
【００１９】
また、天面部材８０の第５貫通孔８３及び第６貫通孔８４と第５挿入板４３及び第６挿入板５３との装設方式は、第１実施形態と同じであり、再述は省く。
【００２０】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００２１】
１０  コーヒーミル
２０  冷却保持装置
２１  ドア
２２  収容室
２３  ミルク
２４  左側板
２４１  左前片部
２５  右側板
２５１  右前片部
２６  天面の側板
２６１  天面の前板部
２７  底側板
２７１  底部の前板部
２８  ネジ
３０  収容室
３１  収納空間
３２  左板部
３３  右板部
３４  上板部
３５  下板部
３６  第１貫通孔
３６１  第１大きな穴部
３６２  第１小さな穴部
３７  第２貫通孔
３７１  第２大きな穴部
３７２  第２小さな穴部
３８  第３貫通孔
３８１  第３大きな穴部
３８２  第３小さな穴部
３９  第４貫通孔
３９１  第４大きな穴部
３９２  第４小さな穴部
４０  左側板
４１  左前板部
４２  第１挿入板
４２１  第１ストッパー部
４３  第５挿入板
４３１  第５ストッパー部
５０  右側板
５１  右前板部
５２  第２挿入板
５２１  第２ストッパー部
５３  第６挿入板
５３１  第６ストッパー部
６０  天面の側板
６１  上面の前板部
６２  第３挿入板
６２１  第３ストッパー部
７０  底側板
７１  下面の前板部
７２  第４挿入板
７２１  第４ストッパー部
８０  天面部材
８１  第１板体
８２  第２板体
８３  第５貫通孔
８３１  第５大きな穴部
８３２  第５小さな穴部
８４  第６貫通孔
８４１  第６大きな穴部
８４２  第６小さな穴部
【図１】
0003209759.tif 000003
【図２】
0003209759.tif 000004
【図３】
0003209759.tif 000005
【図４】
0003209759.tif 000006
【図５】
0003209759.tif 000007
【図６】
0003209759.tif 000008
【図７】
0003209759.tif 000009
【図８】
0003209759.tif 000010
【図９】
0003209759.tif 000011
【図１０】
0003209759.tif 000012
【図１１】
0003209759.tif 000013
【図１２】
0003209759.tif 000014
【図１３】
0003209759.tif 000015
【図１４】
0003209759.tif 000016
【図１５】
0003209759.tif 000017
【図１６】
0003209759.tif 000018
【図１７】
0003209759.tif 000019
【図１８】
0003209759.tif 000020
【図１９】
0003209759.tif 000021